(57)【要約】【課題】負荷配線路の電線長さに応じて電圧降下を容易に補償できるのは勿論のこと、簡素な回路構成でもって、調光器定格容量や負荷容量等、あらゆる要素に応じて出力特性を可変でき、きめ細かな電力制御が可能な上、デジタル入出力機器との接続も容易な調光装置を提供する。【解決手段】負荷配線路３の検出電流をデジタル信号化された検出電流信号に変換し、その検出電流信号をマイクロコンピュータ３０に入力し、マイクロコンピュータ３０による制御出力に応じて、電力制御部２０の出力を制御するようにした調光装置であって、マイクロコンピュータ３０は、ＣＰＵを機能させるためのプログラムとしてメモリ内に記憶した補償レベル決定手段３１を備え、該補償レベル決定手段３１により前記検出電流信号に応じて負荷配線路３の電圧降下を補償するための補償値を決定し、該補償値に応じて前記制御出力が設定されるようにしたことを特徴とする。【選択図】　　　　　図１
2004119261.tif 000002
【特許請求の範囲】
【請求項１】
負荷配線路の電流の大きさを検出する電流検出部と、同負荷配線路の負荷電圧を可変する電力制御部と、マイクロコンピュータとを備え、
前記電流検出部によって、検出される検出電流をデジタル信号化された検出電流信号に変換し、その検出電流信号を前記マイクロコンピュータに入力し、前記マイクロコンピュータによる制御出力に応じて、前記電力制御部の出力を制御するようにした調光装置であって、
前記マイクロコンピュータは、ＣＰＵを機能させるためのプログラムとしてメモリ内に記憶した補償レベル決定手段を備え、
該補償レベル決定手段により前記検出電流信号に応じて負荷配線路の電圧降下を補償するための補償値を決定し、該補償値に応じて前記制御出力が設定されるようにしたことを特徴とする調光装置。
【請求項２】
上記補償レベル決定手段は、予め設定された単数もしくは複数の変数に応じた出力特性であって且つ上記検出電流信号に応じた上記補償値を決定するための手段であることを特徴とする請求項１記載の調光装置。
【請求項３】
上記補償レベル決定手段は、上記マイクロコンピュータのメモリ内に記憶されたデータテーブルから、上記変数に応じた上記補償値であって且つ上記検出電流信号に応じた上記補償値を選出するための手段であることを特徴とする請求項２記載の調光装置。
【請求項４】
上記変数には、調光器定格容量に応じて上記制御出力を調整すべく設定される調光器定格容量設定変数と、電源電圧及び上記負荷配線路の長さに応じて上記制御出力を調整すべく設定される電線長切替変数とを含むことを特徴とする請求項２又は３記載の調光装置。
【請求項５】
上記変数には、調光器出力特性に応じて上記制御出力を調整すべく設定される調光器出力特性切替変数を含むことを特徴とする請求項２乃至４何れか１項記載の調光装置。
【請求項６】
調光レベル調整器により設定される調光レベル値を入力する調光レベル入力手段と、
上記補償レベル決定手段により決定される補償値に、前記調光レベル入力手段から入力される調光レベル値を加算することで、上記制御出力を算出する加算手段とを備えていることを特徴とする請求項１乃至５何れか１項記載の調光装置。
【発明の詳細な説明】
【０００１】
【発明の属する技術分野】
本発明は、劇場、ＴＶスタジオ等で使用される照明器具の調光装置に関し、更に詳しくは負荷（照明器具）が接続される配線路の電圧降下を補償する機能を備えた調光装置に関するものである。
【０００２】
【従来の技術】
従来、この種の装置には、電源と負荷との間の負荷配線路における電流の大きさを検出する電流検出部と、負荷電圧を可変するサイリスタとを備え、前記電流検出部を構成する整流回路、平滑回路、及び増幅回路等により、検出される負荷電流を所定範囲内のレベルのアナログ直流電圧に変換し、更に、前記アナログ直流電圧を調整器により負荷配線路の長さに応じて調整された制御電圧に変換し、該制御電圧により負荷配線路の電圧降下を補償するように、前記サイリスタの出力を制御する調光器がある。（例えば、特許文献１参照。）。
この調光器は、電流検出部により検出される負荷電流の大きさ、及び調整器による調整に応じて、負荷電圧の電圧降下を補償できるので、負荷配線路の電線サイズを太くする等、負荷配線路上において電圧降下を減少させるための措置が必要なく、負荷配線路の配線材料費や配線工事費を大幅に削減できるという優れた効果を有するものである。
【０００３】
しかしながら、上記従来技術によれば、上記電流検出部の検出電流に対するサイリスタの出力特性を、調光器の定格容量に応じて変更しようとした場合、上記増幅回路の回路定数（増幅倍率）を変更する必要が生じ、そのためには、増幅回路の変更や、切替回路の追加等、複雑な回路構成にて対応する必要があった。
更に、上記従来技術では、上記検出電流の増加に伴いサイリスタ出力が上昇し続ける出力特性を有するため、検出電流が負荷接続の誤り等によって比較的大きかった場合に、接続負荷の定格電圧を超えてしまうという懸念があり、過電圧とならないようにするための抑制回路を付加する必要があった。
また、上記従来技術は、アナログ式の回路構成としていたため、フェーダー等の調光レベル調整器やその他の機器からの入力を得て、該入力値を上記制御電圧に加算しようとした場合、前記調光レベル調整器やその他の機器はデジタル出力式の構成が主流となってきているため、Ｄ／Ａ変換器を介在させる等、別途回路を付加する必要があった。
また、上記従来技術では、上記検出電流に応じて上記制御電圧が直線的に上昇する出力特性を有するが、サイリスタはその出力波形における導通位相角の大きさに応じて出力変動幅が異なるため、すなわち、例えば前記導通位相角の小さい部分では小さい位相角の増加でもサイリスタ出力が大きく変動するため、上記検出電流に応じて良好なサイリスタ出力を得るためには、上記補償値の出力特性を曲線的に修正する必要があり、そのためには複雑な回路構成を要した。
【０００４】
【特許文献１】
特開平１１−８７０６９号公報
【０００５】
【発明が解決しようとする課題】
本発明は上記従来事情に鑑みてなされたものであり、その課題とする処は、負荷配線路の電線長さに応じて電圧降下を容易に補償できるのは勿論のこと、簡素な回路構成でもって、調光器定格容量や負荷容量等、あらゆる要素に応じて出力特性を可変でき、きめ細かな電力制御が可能な上、デジタル入出力機器との接続も容易な調光装置を提供することにある。
【０００６】
【課題を解決するための手段】
上記課題を解決するために第一の発明では、負荷配線路の電流の大きさを検出する電流検出部と、同負荷配線路の負荷電圧を可変する電力制御部と、マイクロコンピュータとを備え、前記電流検出部によって、検出される検出電流をデジタル信号化された検出電流信号に変換し、その検出電流信号を前記マイクロコンピュータに入力し、前記マイクロコンピュータによる制御出力に応じて、前記電力制御部の出力を制御するようにした調光装置であって、前記マイクロコンピュータは、ＣＰＵを機能させるためのプログラムとしてメモリ内に記憶した補償レベル決定手段を備え、該補償レベル決定手段により前記検出電流信号に応じて負荷配線路の電圧降下を補償するための補償値を決定し、該補償値に応じて前記制御出力が設定されるようにしたことを特徴とする。
【０００７】
ここで、上記電力制御部とは、マイクロコンピュータによる制御出力に応じて電力を出力する構成を意味し、具体例としては、サイリスタ、トランジスタ等のスイッチング素子や、その他の電力制御素子を用いた電気回路により構成される。
また、上記補償レベル決定手段とは、上記検出電流信号に応じてマイクロコンピュータから電力制御部へ伝送される制御信号を設定する手段であり、例えば、マイクロコンピュータのメモリ内に記憶されたデータ郡より上記検出電流信号に応じた補償値が選出されるようにした態様、予め設定された方程式に上記検出電流信号に応じた数値を代入することにより補償値が算出されるようにした態様等を含む。
【０００８】
更に、第二の発明では、上記補償レベル決定手段は、予め設定された単数もしくは複数の変数に応じた出力特性であって且つ上記検出電流信号に応じた上記補償値を決定するための手段であることを特徴とする。
【０００９】
また、第三の発明では、上記補償レベル決定手段は、上記マイクロコンピュータのメモリ内に記憶されたデータテーブルから、上記変数に応じた上記補償値であって且つ上記検出電流信号に応じた上記補償値を選出するための手段であることを特徴とする。
【００１０】
また、第四の発明では、上記変数には、調光器定格容量に応じて上記制御出力を調整すべく設定される調光器定格容量設定変数と、電源電圧及び上記負荷配線路の長さに応じて上記制御出力を調整すべく設定される電線長切替変数とを含むことを特徴とする。
【００１１】
また、第五の発明では、上記変数には、調光器出力特性に応じて上記制御出力を調整すべく設定される調光器出力特性切替変数を含むことを特徴とする。
【００１２】
また、調光レベル調整器により設定される調光レベル値を入力する調光レベル入力手段と、上記補償レベル決定手段により決定される補償値に、前記調光レベル入力手段から入力される調光レベル値を加算することで、上記制御出力を算出する加算手段とを備えていることを特徴とする。
【００１３】
【発明の実施の形態】
以下、本発明の実施の形態を図面に基づいて説明する。
この調光装置Ａは、交流電源１と照明機器等の負荷２との間における負荷配線路３の電流の大きさを検出する電流検出部１０と、同負荷配線路３の負荷電圧Ｖ２を可変する電力制御部２０と、マイクロコンピュータ３０とを備え、前記電流検出部１０によって検出される検出電流を、デジタル信号化された検出電流信号に変換し、その検出電流信号を前記マイクロコンピュータ３０に入力し、該マイクロコンピュータ３０による制御出力に応じて、前記電力制御部２０の出力を制御するようにしている（図１参照）。
尚、この調光装置Ａは、前記電流検出部１０、前記電力制御部２０、及び前記マイクロコンピュータ３０が一体に構成された態様や、それらの一部又は全部が別体に構成された態様を含むものである。
【００１４】
電流検出部１０は、負荷配線路３に流れる電流を、変流器（ＣＴ）等を具備した電流／電圧変換部１１により交流電圧に変換し、その交流電圧を整流回路部１２により全波整流電圧に変換し、その全波整流電圧を平滑回路部１３により平滑された直流電圧に変換し、更に、その直流電圧を、Ａ／Ｄ変換部１４によって、所定範囲内のレベルのデジタル信号に変換された検出電流信号に変換する電気回路である。
【００１５】
電力制御部２０は、負荷配線路３に直列に配線されたサイリスタ２１と、該サイリスタ２１のゲート端子へゲート信号パルスを与える点弧回路部２２とを備え、位相角制御によって負荷配線路３における負荷電圧Ｖ２を可変する電気回路である。
【００１６】
尚、前記サイリスタ２１は、詳細には逆向きの二つのサイリスタ素子を並列接続したものであり、トライアックに置換した構成とすることも可能である。
また、上記点弧回路部２２は、デジタル入力を可能にする電気回路（例えばＤ／Ａ変換器等）を備え、マイクロコンピュータ３０から入力される制御信号に応じたタイミングで、サイリスタ２１のゲート端子にゲート信号パルスを加える。
【００１７】
マイクロコンピュータ３０は、ＣＰＵ（中央処理装置）、メモリ、入出力ポート等をバスにより接続してなり、前記メモリ内に記憶したプログラム及びデータとして、補償レベル決定手段３１、調光レベル入力手段３２、加算手段３３、データテーブル４０等を具備している。
【００１８】
補償レベル決定手段３１は、調光器定格容量設定変数３１ａ及び電線長切替変数３１ｂに応じた補償値であって且つ上記電流検出部１０から出力される検出電流信号に応じた補償値ｘを、上記マイクロコンピュータ３０のメモリ内に記憶されたデータテーブル４０（図２参照）から選出する。
尚、図２中符号３１ｃは、必要に応じて設定される調光器出力特性切替変数であり、該調光器出力特性切替変数３１ｃについては後述することにする。
【００１９】
調光器定格容量設定変数３１ａは、調光器定格容量に応じてマイクロコンピュータ３０の制御出力を調整すべく選択される変数であり、前記調光器定格容量とは、当該調光装置Ａが電力制御可能な最大電流値の目安であり、サイリスタ２１の定格容量よりも小さい値に設定されている。
この調光器定格容量設定変数３１ａは、図示しないテンキー入力装置やその他の入力装置等によって現場入力可能にしてもよいが、好ましい態様としては、電力制御部２０に、前記調光器定格容量に応じたデジタル信号を出力する回路を設け、該回路から出力されるデジタル信号を調光器定格容量設定変数３１ａとして読み取るようにする。
【００２０】
尚、上記調光器定格容量設定変数３１ａは、図２のデータテーブル４０上に示す一例によれば、１〜４の数字（マイクロコンピュータ３０内ではバイナリーコードで扱う）であり、前記数字の１は調光器定格容量２０Ａに、前記数字の２は調光器定格容量３０Ａに、前記数字の３は調光器定格容量４０Ａに、前記数字の４は調光器定格容量６０Ａに、それぞれ対応している。
【００２１】
電線長切替変数３１ｂは、交流電源１の電源電圧Ｖ１及び負荷配線路３の長さに応じてマイクロコンピュータ３０の制御出力を調整すべく選択される変数であり、図示しないテンキー入力装置やその他の入力装置等によって現場入力される。
この電線長切替変数３１ｂは、図２のデータテーブル４０上に示す一例によれば、１〜ｎの数字（マイクロコンピュータ３０内ではバイナリーコードとして扱う）であり、該数字が大きい程、電線長の長い負荷配線路３に対応する。
【００２２】
データテーブル４０は、三次元行列的に配列されたデータ郡であり、その一次元目を調光器定格容量設定変数３１ａに応じて選択される補償値ｘのデータ群とし、二次元目を電線長切替変数３１ｂに応じて選択される補償値ｘのデータ群とし、三次元目を電流検出部１０による検出電流信号に応じて選択される補償値ｘとしている。
【００２３】
このデータテーブル４０を視覚的に表現すれば、図２に例示するように、調光器定格容量設定変数３１ａに応じて選択される複数の枠４１ａ〜４１ｄを配置し、その各々の枠内に、電線長切替変数３１ｂに応じて選択される複数の枠４２ａ〜４２ｎを配置し、その各々の枠内に、検出電流信号に応じて選択される複数の補償値ｘ（図２に示す多数の破線枠）を配置した表として構成される。尚、該表中の数字（１０進表示）は、マイクロコンピュータ３０内においてはバイナリーコードとして扱われる。
【００２４】
また、同データテーブル４０は、図３に示すように、横軸を検出電流、縦軸を補償値ｘとしたグラフＧとして表現することもできる。
このグラフＧ上において、複数の実線の傾斜線及び各傾斜線に連続する実線の水平線は、調光器定格容量が２０Ａの場合に電線長切替変数３１ｂに応じて選択される補償値出力特性曲線を示し、また、複数の一点鎖線の傾斜線及び各傾斜線に連続する実線の水平線は、調光器定格容量が３０Ａの場合に電線長切替変数３１ｂに応じて選択される補償値出力特性曲線を示す。尚、データテーブル４０における調光器定格容量が４０Ａ及び６０Ａの場合の補償値出力特性曲線については、グラフ上の図示を省略する。
【００２５】
また、調光レベル入力手段３２は、調光レベル調整器５０から入力されるデジタル信号の調光レベル値を、マイクロコンピュータ３０内のプログラムによりレベル調整して、後述する加算手段３３へ出力する手段である。
この調光レベル入力手段３２によれば、例えば、図１に示すように、調光レベル調整器５０から入力される００Ｈ〜ＦＦＨ（１６進数表示）の範囲内のデジタル信号が、００Ｈ〜ＣＦＨ（１６進数表示）の範囲内のデジタル信号にレベル調整されて出力され、加算手段３３に入力される。
【００２６】
上記調光レベル調整器５０は、デジタル信号の調光レベル値を出力可能な機器であればよく、例えば所謂フェーダーやパソコン等であり、信号線によってマイクロコンピュータ３０に接続される。
【００２７】
また、加算手段３３は、補償レベル決定手段３１により決定される補償値ｘと、調光レベル入力手段３２からの出力値とを、マイクロコンピュータ３０内のプログラムにより算術的に加算して出力する手段であり、図示例によれば、補償レベル決定手段３１により決定される００Ｈ〜３０Ｈ（１６進数表示）の範囲内の補償値ｘと、調光レベル入力手段３２からの００Ｈ〜ＣＦＨ（１６進数表示）の範囲内の出力値とを加算して、００Ｈ〜ＦＦＨ（１６進数表示）の範囲内の制御出力として出力する。そして、この加算手段３３による制御出力は、点弧回路部２２の入力端子に入力される。
【００２８】
次に、上記構成の調光装置Ａの作用について詳細に説明する。
先ず、交流電源１から、負荷２の定格電圧（例えば１００Ｖ）よりも高い電圧Ｖ１（例えば１３０Ｖ）が供給される。
そして、電流検出部１０により、負荷配線路３の電流値が検出される。検出された電流値は、電流／電圧変換部１１により交流電圧に変換され、整流回路部１２により整流され、平滑回路部１３により全波整流の直流電圧に変換され、Ａ／Ｄ変換部１４によりデジタル信号に変換された後、マイクロコンピュータ３０に入力され、補償レベル決定手段３１により処理される。
【００２９】
ここで、補償レベル決定手段３１による処理を、電流検出部１０による検出電流が５Ａ、調光器定格容量設定変数３１ａが１（２０Ａ）、電線長切替変数３１ｂが３であった場合を一例にして、詳細に説明する。
先ず、マイクロコンピュータ３０は、データテーブル４０中より調光器定格容量設定変数３１ａが１で、且つ調光器定格容量設定変数３１ａが３であるデータ郡を検索する。
すなわち、マイクロコンピュータ３０は、データテーブル４０における枠４１ａ内より、枠４２ｃ内のデータ郡を選出する（図３参照）。
【００３０】
そして、マイクロコンピュータ３０は、調光器定格容量設定変数３１ａが３であるデータ郡（枠４２ｃ内のデータ郡）の中から、検出電流に１を加算した数番目（図示例によれば、検出電流５Ａに１を加算し、枠４２ｃ内の左上端から６番目）のデータ（図示例では２）を読み出し、該データを補償値ｘとする。
尚、上記のように検出電流に１を加算する理由は、枠４２ｃ内のデータが、検出電流０Ａに対応する補償値（枠４２ｃ中の左上端の０）から順番に配列されているためである。すなわち、図示例では枠４２ｃ中において、検出電流０Ａが補償値０、検出電流１Ａが補償値０、検出電流２Ａが補償値１、検出電流３Ａが補償値１、検出電流４Ａが補償値２、検出電流５Ａが補償値２に対応する。
【００３１】
また、上記マイクロコンピュータ３０による補償値ｘの選出を図４（ｂ）に示すグラフ上で説明すれば、調光器定格容量設定変数３１ａが１（２０Ａ）で且つ電線長切替変数３１ｂが３である補償値出力特性曲線上において、横軸が５Ａの場合における縦軸の値２が補償値として読み取られる。
【００３２】
また、同図４に例示するように、電流検出部１０による検出電流が５Ａ、調光器定格容量設定変数３１ａが１（２０Ａ）、電線長切替変数３１ｂがｎであった場合には、補償値ｘとして５が選出される。
【００３３】
次に、上記のようにしてデータテーブル４０から選出された補償値ｘと、調光レベル入力手段３２により所定範囲内のレベルに変換された値とが、加算手段３３により加算される。そして、その加算された値は、デジタル信号の制御出力として、マイクロコンピュータ３０から出力され、点弧回路部２２の入力端子に入力される。
【００３４】
そして、点弧回路部２２は、マイクロコンピュータ３０から入力される上記制御信号に応じたタイミングで、サイリスタ２１のゲート端子にゲート信号パルスを加える。
【００３５】
而して、上記調光装置Ａによれば、例えば、負荷配線路３の電圧降下の大きさに応じて異なる電流値を検出し、その検出電流に応じて補償された電圧Ｖ２（例えば１００Ｖ）を、照明機器等の負荷２に供給することになる。
【００３６】
尚、上記実施の形態によれば、補償値出力特性曲線を、補償値が検出電流の増加に対してリニアに上昇し、調光器定格容量以上で水平となる態様（図３参照）としたが、データテーブル４０上の数値の設定により、補償値出力特性曲線を、図５に示すように設定することも可能である。この補償値出力特性曲線は、補償値が、検出電流の増加に対して凹曲線状に上昇し、調光器定格容量以上で水平となるようにしたものである。
すなわち、一般的なサイリスタの出力特性は、導通角の小さい範囲では補償値の変化が小さくても大きくサイリスタ出力が変化するため、図５に示すように補償値出力特性曲線を凹曲線状にすれば、導通角の小さい範囲においても、補償値の変化に対するサイリスタ出力の変化の割合を均等化する作用を奏する。
【００３７】
また、上記補償レベル決定手段３１が扱う変数として、調光器定格容量設定変数３１ａ及び電線長切替変数３１ｂに加えて調光器出力特性切替変数３１ｃ（図１参照）を設け、これら複数の変数の設定に応じて、最も好適な補償値出力特性曲線（例えば図５に示す補償値出力特性曲線）が選出されるようにしてもよい。この態様では、補償レベル決定手段３１を、調光器定格容量設定変数３１ａ、電線長切替変数３１ｂ、及び調光器出力特性切替変数３１ｃ（図１における二点鎖線で示す部分）に応じて補償値ｘを選出するための手段とする。
そして、同態様では、データテーブル４０を、四次元行列的に配列されたデータ郡とし、その一次元目を調光器定格容量設定変数３１ａに応じて選択される補償値ｘのデータ群、二次元目を電線長切替変数３１ｂに応じて選択される補償値ｘのデータ群、三次元目を調光器出力特性切替変数３１ｃに応じて選択される補償値ｘのデータ郡、四次元目を電流検出部１０による検出電流信号に応じて選択される補償値ｘとすればよい。
尚、前記調光器出力特性切替変数３１ｃは、サイリスタ２１の出力特性等によって異なる調光器出力特性に応じた変数とする。
【００３８】
また、上記実施の形態によれば、上記補償レベル決定手段３１を、複数の変数に応じてデータテーブル４０中のデータ郡から補償値ｘを選出する手段としたが、該補償レベル決定手段３１を、補償値ｘを算術的に算出する手段とすることも可能である。
この態様では、予め補償値出力特性曲線を示す方程式を作成しておき、該方程式に、電流検出部１０による検出電流信号、調光器定格容量設定変数３１ａ、電線長切替変数３１ｂ、調光器出力特性切替変数３１ｃ等、複数の変数を代入することで、補償値ｘが算出されるようにすればよい。
【００３９】
【発明の効果】
本発明は、以上説明したように構成されているので、以下に記載されるような作用効果を奏する。
第一の発明によれば、電流検出部による検出電流に応じて制御出力が設定され、その制御出力に応じて電力制御部の出力が制御される。
したがって、例えば、上記検出電流が比較的大きい場合には、負荷配線路の電圧降下も大きいと予測されるため、その検出電流に応じて電力制御部の出力を大きくし、照明機器等の負荷に電圧降下を補償した電圧を印加することができ、また、上記検出電流が比較的小さい場合には、負荷配線路の電圧降下も小さいと予測されるため、その検出電流に応じて電力制御部の出力を小さくし、負荷に対して適正な電圧を印加することができ
しかも、プログラムである補償レベル決定手段により制御出力が設定されるため、調光器定格容量や負荷容量等、あらゆる要素に応じた出力特性を、複雑な電気回路を用いることなく、補償レベル決定手段の構成により容易に得ることができる。
更に、マイクロコンピュータによってデジタル信号を扱う構成としたため、調光レベル調整器等のデジタル入出力機器に対する入出力が容易である。
よって、負荷配線路の電線長さに応じて電圧降下を容易に補償できるのは勿論のこと、簡素な回路構成でもって、調光器定格容量や負荷容量等、あらゆる要素に応じて出力特性を可変でき、きめ細かな電力制御が可能な上、デジタル入出力機器との接続も容易な調光装置を提供することができる。
【００４０】
更に、第二の発明によれば、変数の設定により異なる出力特性の制御出力を容易に得ることができる。
【００４１】
更に、第三の発明によれば、予め設定される変数に応じてデータテーブル上から補償値が選択されるようにしたため、例えば方程式に変数を代入して補償値を算出する場合のような複雑な計算を要さないので、マイクロコンピュータの処理時間を短縮して、応答性のよい調光装置を提供することができる。
【００４２】
更に、第四の発明によれば、調光器定格容量と、電源電圧及び負荷配線路の長さとに応じた出力特性の制御出力が得られるため、電力制御部による出力が接続負荷の定格電圧を越えてしまうのを容易に防止することができる上、調光器定格容量、電源電圧、負荷配線路の長さ等に応じたきめ細かな電力制御が可能となる。
【００４３】
更に、第五の発明によれば、調光器出力特性に応じた好適な出力特性の制御出力が得られるため、例えば電力制御部からの出力を検出電流に応じたリニアな出力特性とすることができる。
【００４４】
更に、第六の発明によれば、電力制御部による出力を、調光レベル調整器による調整に応じた出力とすることができる。
【図面の簡単な説明】
【図１】本発明に係わる調光装置の一例を示すブロック図。
【図２】データテーブルの一例を示す説明図。
【図３】データテーブルにおける検出電流と制御出力との関係を示すグラフ。
【図４】（ａ）はデータテーブル上で補償値を選定する手順の一例を示す説明図であり、（ｂ）は同補償値の選定をグラフ上に示す説明図。
【図５】制御出力を調光器出力特性に応じた出力特性とした場合における検出電流と制御出力との関係を示すグラフ。
【符号の説明】
３：負荷配線路
１０：電流検出部
２０：電力制御部
３０：マイクロコンピュータ
３１：補償レベル決定手段
３１ａ：調光器定格容量設定変数
３１ｂ：電線長切替変数
３１ｃ：調光器出力特性切替変数
３２：調光レベル入力手段
３３：加算手段
Ａ：調光装置
【図１】
2004119261.tif 000003
【図２】
2004119261.tif 000004
【図３】
2004119261.tif 000005
【図４】
2004119261.tif 000006
【図５】
2004119261.tif 000007